(57)【特許請求の範囲】
【請求項１】
複数の微細孔（３２）を有する樹脂成形品（３０）の成形方法であって、成形上下型（５０，６０）の型締め後、キャビティ（Ｃ）内に溶融樹脂を射出充填して、複数の微細孔（３２）を有する樹脂成形品（３０）を所要形状に成形した後、前記樹脂成形品（３０）の微細孔（３２）については小径ピン（８２）による突出し工程を採用し、前記樹脂成形品（３０）の一般部分については突出しピン（７３）による突出し工程を採用するとともに、前記小径ピン（８２）及び前記突出しピン（７３）のそれぞれの突出しストロークを相違させて突き出しを行なう樹脂成形品（３０）の成形方法において、
前記小径ピン（８２）は、小径ピン用のエジェクタプレート（８１）の上面に立設支持され、前記突出しピン（７３）は、昇降自在な一般用のエジェクタプレート（７１）の上面に立設支持され、前記小径ピン用のエジェクタプレート（８１）の裏面側に位置するベースプレート（６１）と前記小径ピン用のエジェクタプレート（８１）との間には、前記小径ピン用のエジェクタプレート（８１）を上方に付勢するスプリング（８３）が設けられており、
前記小径ピン用のエジェクタプレート（８１）の上面に設けられたウレタンブッシュ（８４）が前記一般用のエジェクタプレート（７１）の下面の凹部（７１ａ）に嵌合し、嵌合したウレタンブッシュ（８４）を介して前記小径ピン用のエジェクタプレート（８１）に伝達される前記一般用のエジェクタプレート（７１）からの引張力と、前記スプリング（８３）のバネ力との合力により、前記一般用のエジェクタプレート（７１）の上昇動作に追随して前記小径ピン用のエジェクタプレート（８１）が上昇し、前記小径ピン（８２）が前記樹脂成形品（３０）の微細孔（３２）を短寸ストローク上方に突き上げること
を特徴とする樹脂成形品の成形方法。
【請求項２】
複数の微細孔（３２）を有する樹脂成形品（３０）を成形するために使用する樹脂成形品（３０）の成形金型（４０）において、
前記成形金型（４０）は、相互に型締め、型開き可能な成形上下型（５０，６０）と、樹脂成形品（３０）の一般部分を上方に突き出す一般用突出し機構部（７０）と、樹脂成形品（３０）における微細孔（３２）を局部的に突き出す微細孔用突出し機構部（８０）とを備え、
前記一般用突出し機構部（７０）は、前記樹脂成形品（３０）の一般部分を上方に突出すための突出しピン（７３）を上面に立設支持してなる昇降自在な一般用のエジェクタプレート（７１）を備え、
微細孔用突出し機構部（８０）は、前記樹脂成形品（３０）の微細孔（３２）を上方に突出すための小径ピン（８２）を上面に立設支持してなる小径ピン用のエジェクタプレート（８１）と、この小径ピン用のエジェクタプレート（８１）の裏面側に位置するベースプレート（６１）と前記小径ピン用のエジェクタプレート（８１）との間に設けられるとともに、前記小径ピン用のエジェクタプレート（８１）を上方に付勢するスプリング（８３）と、前記小径ピン用のエジェクタプレート（８１）の上面に設けられたウレタンブッシュ（８４）と、を備え、
前記ウレタンブッシュ（８４）が前記一般用のエジェクタプレート（７１）の下面の凹部（７１ａ）に嵌合し、嵌合したウレタンブッシュ（８４）を介して前記小径ピン用のエジェクタプレート（８１）に伝達される前記一般用のエジェクタプレート（７１）からの引張力と、前記スプリング（８３）のバネ力との合力により、前記一般用のエジェクタプレート（７１）の上昇動作に追随して前記小径ピン用のエジェクタプレート（８１）が上昇し、前記小径ピン（８２）が前記樹脂成形品（３０）における微細孔（３２）を短寸ストローク上方に突き上げるようになっていること
を特徴とする樹脂成形品の成形金型。
【発明の詳細な説明】
【技術分野】
【０００１】
この発明は、複数の微細孔を有する樹脂成形品の成形方法並びに成形金型に係り、特に、成形金型の突出し機構部の構造を改良することで、樹脂成形品の成形後の突出し工程を円滑に進めることができる樹脂成形品の成形方法並びに成形金型に関する。
【背景技術】
【０００２】
図８は、自動車のドアトリムの室内面側に取り付けられるツートンタイプの自動車用ドアトリム１を示す正面図であり、ツートンタイプのドアトリム１は、ドアトリムアッパー２と、ドアトリムロア３との上下二分割体から構成されている。そして、図９に示すように、ドアトリムアッパー２は樹脂芯材２ａの表面に表皮２ｂを貼着して構成され、ドアトリムロア３は合成樹脂の単体品から構成されている。また、ドアトリム１の製造工程については、ドアトリムアッパー２とドアトリムロア３とを別個の成形金型でそれぞれ成形した後、両者をアッセンブリして製作される。この時、ドアトリムロア３と一体にスピーカグリル３ａを成形するために、例えば、図１０に示す成形金型４が従来から使用されている。
【０００３】
成形金型４は、所定ストローク上下動可能な成形上型５と、成形上型５と型締めされる成形下型６とから構成され、成形上型５は、昇降シリンダ５ａの駆動により所定ストローク上下動作を行なうとともに、成形下型６は、樹脂通路となるマニホールド６ａ、ゲート６ｂが設けられており、これら樹脂通路を通じて図示しない射出機からキャビティ内に溶融樹脂が供給される。特に、スピーカグリル３ａのような微細孔を形成するために、成形下型６には、パンチングブロック６ｃが嵌め込まれている。更に、ドアトリムロア３を成形上下型５，６の型締めにより成形した後、ドアトリムロア３を成形下型６から脱型するために、従来から、二段階の突出し工程が採用されている。すなわち、二段階の突出し工程を実施するには、一般部分の突き出しを行なう一般用突出し機構部７と、スピーカグリル３ａのように、微細孔の突き出しを行なう微細孔用突出し機構部８とが必要である。具体的には、一般用突出し機構部７は、エジェクタプレート７ａが駆動シリンダ７ｂにより、所定ストローク、通常１２０ｍｍ程度、上下動作を行なう。このエジェクタプレート７ａに突出しピン７ｃやアンギュラピン７ｄが連結されており、ドアトリムロア３の成形後、ドアトリムロア３を上方に突き上げる。また、スピーカグリル３ａのような微細孔の突き出しについては、微細孔用突出し機構部８は、エジェクタプレート８ａに小径ピン８ｂが支持されており、この小径ピン８ｂにより、３０ｍｍ程度の突き出しが行なわれ、スプリング８ｃによりエジェクタプレート８ａは常に上方に付勢されている。例えば、スピーカグリルを備えたドアトリムの成形方法並びに成形金型については、特許文献１に詳細に記載されている。
【０００４】
【特許文献１】特開平１１−２６８０４６号公報
【発明の開示】
【発明が解決しようとする課題】
【０００５】
このように、従来では、微細孔からなるスピーカグリル３ａを形成するために、複数のスプリング８ｃで上方にプレート８ａを付勢するという構成の微細孔用突出し機構部８が一般用突出し機構部７の下方に設定されているが、このスプリング８ｃのバネ圧が強いため、両機構部７，８におけるエジェクタプレート７ａ，８ａ同士が干渉し、一般のエジェクタプレート７ａが図１１に示すように、上方に突き上げられ、一般の突出しピン７ｃが上方に突き出した状態となり、突出しピン７ｃの突き出しのバランス、戻り等の微調整に悪影響を及ぼすという欠点が指摘されている。
【０００６】
このように、突出しピン７ｃの出っ張りや、これに伴なう調整工数が多く必要となり、管理が面倒であるとともに、この突出しピン７ｃが僅かでも突き出した場合、ドアトリムロア３の製品表面に艶ムラ等の成形不良が生じ易く、一般用突出し機構部７と微細孔用突出し機構部８との干渉を回避させることが急務とされていた。
【０００７】
この発明は、このような事情に鑑みてなされたもので、ドアトリムロア３におけるスピーカグリル３ａのように、複数の微細孔を有する樹脂成形品の成形方法であって、樹脂成形品の一般部分と微細孔部分をそれぞれ別個に二段階で突き出す方法を採用するとともに、一般用突出し機構部と微細孔用突出し機構部との干渉が確実に回避できることにより、一般の突出しピンの出っ張り及びこれに伴なう調整工程を削減でき、突出しピンの突き出しや戻しのバランスも良好となり、成形不良を未然に防止できる樹脂成形品の成形方法並びに成形金型を提供することを目的とする。
【課題を解決するための手段】
【０００８】
上記課題を解決するために、本発明は、複数の微細孔を有する樹脂成形品の成形方法であって、成形上下型の型締め後、キャビティ内に溶融樹脂を射出充填して、複数の微細孔を有する樹脂成形品を所要形状に成形した後、前記樹脂成形品の微細孔については小径ピンによる突出し工程を採用し、前記樹脂成形品の一般部分については突出しピンによる突出し工程を採用するとともに、前記小径ピン及び前記突出しピンのそれぞれの突出しストロークを相違させて突き出しを行なう樹脂成形品の成形方法において、前記小径ピンは、小径ピン用のエジェクタプレートの上面に立設支持され、前記突出しピンは、昇降自在な一般用のエジェクタプレートの上面に立設支持され、前記小径ピン用のエジェクタプレートの裏面側に位置するベースプレートと前記小径ピン用のエジェクタプレートとの間には、前記小径ピン用のエジェクタプレートを上方に付勢するスプリングが設けられており、前記小径ピン用のエジェクタプレートの上面に設けられたウレタンブッシュが前記一般用のエジェクタプレートの下面の凹部に嵌合し、嵌合したウレタンブッシュを介して前記小径ピン用のエジェクタプレートに伝達される前記一般用のエジェクタプレートからの引張力と、前記スプリングのバネ力との合力により、前記一般用のエジェクタプレートの上昇動作に追随して前記小径ピン用のエジェクタプレートが上昇し、前記小径ピンが前記樹脂成形品の微細孔を短寸ストローク上方に突き上げることを特徴とする。
【０００９】
更に、本発明に使用する成形金型は、複数の微細孔を有する樹脂成形品を成形するために使用する樹脂成形品の成形金型において、前記成形金型は、相互に型締め、型開き可能な成形上下型と、樹脂成形品の一般部分を上方に突き出す一般用突出し機構部と、樹脂成形品における微細孔を局部的に突き出す微細孔用突出し機構部とを備え、前記一般用突出し機構部は、前記樹脂成形品の一般部分を上方に突出すための突出しピンを上面に立設支持してなる昇降自在な一般用のエジェクタプレートを備え、微細孔用突出し機構部は、前記樹脂成形品の微細孔を上方に突出すための小径ピンを上面に立設支持してなる小径ピン用のエジェクタプレートと、この小径ピン用のエジェクタプレートの裏面側に位置するベースプレートと前記小径ピン用のエジェクタプレートとの間に設けられるとともに、前記小径ピン用のエジェクタプレートを上方に付勢するスプリングと、前記小径ピン用のエジェクタプレートの上面に設けられたウレタンブッシュと、を備え、前記ウレタンブッシュが前記一般用のエジェクタプレートの下面の凹部に嵌合し、嵌合したウレタンブッシュを介して前記小径ピン用のエジェクタプレートに伝達される前記一般用のエジェクタプレートからの引張力と、前記スプリングのバネ力との合力により、前記一般用のエジェクタプレートの上昇動作に追随して前記小径ピン用のエジェクタプレートが上昇し、前記小径ピンが前記樹脂成形品における微細孔を短寸ストローク上方に突き上げるようになっていることを特徴とする。
【００１０】
ここで、複数の微細孔を有する樹脂成形品において、微細孔としては、スピーカグリル、樹脂成形品としては、自動車用ドアトリム、リヤパーセルシェルフ等に適用することができる。また、成形金型における成形上型は、昇降シリンダの駆動により、所定ストローク上下動可能であり、成形上型が下死点まで下降することにより、成形下型との間で型締めされ、所望形状のキャビティを形成し、樹脂成形品を所要形状に成形できる。一方、成形下型は、射出機から供給される溶融樹脂の樹脂通路となるマニホールド、ゲートが設けられており、上記樹脂通路を通じて成形下型の型面所定箇所に供給される。
【００１１】
従って、溶融樹脂の供給タイミングとしては、成形上下型の型締め後、行なっても良く、あるいは、型締め前に行なっても良い。また、成形下型は、ベースプレート上のスペーサブロックの間に支持され、スペーサブロックにより形成されるスペース内に樹脂成形品の突出し機構部が内装されている。樹脂成形品の突出し機構部としては、樹脂成形品の全体部分を長寸ストローク突き上げる一般用突出し機構部と、スピーカグリル等の微細孔を短寸ストローク突き上げる微細孔用突出し機構部とがあり、一般用突出し機構部は、シリンダにより所定ストローク上下動可能なエジェクタプレートに突出しピンやアンギュラピン等が支持されており、通常は、１２０ｍｍ程度上昇操作することで、樹脂成形品を上方に突き出すことができる。
【００１２】
一方、微細孔用突出し機構部は、突出しピンとしては、φ２０程度の小径ピンであることから、破損を回避するために、３０ｍｍ程度の短寸ストロークのみの突出し操作であり、この微細孔用突出し機構部におけるエジェクタプレートには、バネ圧を小さく設定したスプリングとウレタンブッシュとが設けられており、上記ウレタンブッシュは、一般用突出し機構部におけるエジェクタプレートに嵌まり込み、一般部のエジェクタプレートに引っ張られる。従って、一般部のエジェクタプレートからの引張り力が見込めるため、スプリングのバネ圧を低く設定することができる。
【００１３】
そして、本発明方法並びに本発明に係る成形金型によれば、スピーカグリル等の微細孔を成形した後、この微細孔を突き出すための突出し機構部は、エジェクタプレートが一般のエジェクタプレートに連繋して引っ張られるウレタンブッシュが設けられているため、一般のエジェクタプレートの上昇動作に追随して引っ張られることから、微細孔用突出し機構部におけるエジェクタプレートのバネ圧を低く設定することができる。従って、スプリングにより一般のエジェクタプレートが突き上げられることがないため、一般の突出しピンが型面からキャビティ内に突き出したりすることもなく、それに伴なう樹脂成形品の艶ムラ等の成形不良を未然に防止することができるとともに、突出しピンの突き出しや、戻しのバランスを良好に調整できるという効果がある。
【発明の効果】
【００１４】
以上説明した通り、本発明に係る樹脂成形品の成形方法並びに成形金型は、微細孔を有する樹脂成形品を所要形状に成形した後、一般用突出し機構部の動作により樹脂成形品を上方に突き出す全体の突出し工程と、スピーカグリル等の微細孔のみを突き出す局部突出し工程との二段階で行ない、特に、微細孔用突出し機構部については、一般用突出し機構部のエジェクタプレートの上昇時にウレタンブッシュ等の連繋部材を介して微細孔用突出し機構部におけるエジェクタプレートを同調して上昇させることができるため、微細孔用突出し機構部のスプリングのバネ圧を小さく設定できることから、一般用突出し機構部と微細孔用突出し機構部との干渉を有効に回避でき、樹脂成形品に艶ムラ等の成形不良が生じることがなく、外観見栄えを良好に保つことができるとともに、突出しピンの突き出し及びこれに伴なう調整工数を低減でき、一般用突出し機構部の調整作業を簡素化できるという効果を有する。
【発明を実施するための最良の形態】
【００１５】
以下、本発明に係る樹脂成形品の成形方法並びに成形金型の好適な実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００１６】
図１乃至図７は本発明の一実施例を示すもので、図１は本発明方法により成形したドアトリムロアを有するツートンタイプのドアトリムを示す正面図、図２は同ツートンタイプのドアトリムの構成を示す断面図、図３は本発明方法に使用する成形金型の全体構成を示す概要図、図４は図３に示す成形金型における微細孔用突出し機構部におけるエジェクタプレートの平面図、図５乃至図７は本発明方法における微細孔用突出し機構部の収容時、突出し初期時、突出し終了時をそれぞれ示す説明図である。
【００１７】
図１，図２において、本発明方法により製作したドアトリムの構成について簡単に説明する。ツートンタイプの自動車用ドアトリム１０は、ドアトリムアッパー２０とドアトリムロア３０の上下二分割体から構成されている。更に詳細には、ドアトリムアッパー２０には、ドアロックを解除操作するインサイドハンドルユニット１１が設けられているとともに、ドアトリムロア３０との境界部分には、室内側に膨出するアームレスト１２が設けられており、アームレスト１２の上面には、パワーウインドウスイッチユニット等のスイッチ群１３、プルハンドル１４が取り付けられている。一方ドアトリムロア３０には、アームレスト１２の下方に備品を収容できるドアポケット１５が設定され、ドアポケット１５のフロント側には、スピーカグリル１６がドアトリムロア３０と一体に設けられている。
【００１８】
そして、ドアトリムアッパー２０とドアトリムロア３０との構成について説明すると、図２に示すように、ドアトリムアッパー２０は、樹脂芯材２１の表面に表皮２２を貼付した積層構造体から構成されており、樹脂芯材２１としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等の熱可塑性樹脂、あるいはこれらの熱可塑性樹脂にタルク等のフィラーを適宜配合した複合樹脂材料を使用して、モールドプレス成形、あるいは射出成形等により所望の曲面形状に成形されており、樹脂芯材２１の成形時に表皮２２が一体的に貼着されている。この表皮２２としては、合成樹脂シート、クロス、不織布等の布地シート等から適宜選択されて良く、また、合成樹脂シート、布地シートの裏面にポリウレタンフォーム、ポリエチレンフォーム、ポリプロピレンフォーム等のクッション層を裏打ちした積層シート材料を使用することもできる。そして、ドアトリムアッパー２０とドアトリムロア３０との接合部については、ドアトリムロア３０の接合部裏面に取付用ボス３１が裏面側に向けて突出し形成され、ドアトリムアッパー２０の取付孔２３内に取付用ボス３１を挿入した後、取付用ボス３１の先端を超音波溶着カシメ、熱溶着カシメ等により固定することで、ドアトリムアッパー２０とドアトリムロア３０とを強固に接合一体化することができる。そして、スピーカグリル１６については、ドアトリムロア３０の成形時に微細孔３２を一体に開設することで形成されている。
【００１９】
次いで、このドアトリムロア３０を成形する際に使用する成形金型４０の構成について、図３乃至図７に基づいて説明する。成形金型４０は、所定ストローク上下動可能な成形上型５０と、その下方に位置する成形下型６０とから大略構成されている。更に詳しくは、成形上型５０は、昇降シリンダ５１の駆動により、所定ストローク上下動作を行ない、成形下型６０は、ベースプレート６１に配置されたスペーサブロック６２上に支持されており、図示しない射出機から供給される溶融樹脂材料は、マニホールド６３、ゲート６４を通じて成形下型６０の型面上に供給される。そして、図３に示す成形上下型５０，６０の型開き状態から成形上下型５０，６０の型締めにより成形上下型５０，６０間に形成されるキャビティ形状に沿って溶融樹脂が射出充填されることで、ドアトリムロア３０が所要形状に成形される。そして、微細孔３２については、成形下型６０にパンチングブロック６５が嵌め込まれ、このパンチングブロック６５により微細孔３２が形成されることになる。そして、成形下型６０とベースプレート６１との間のスペース内に一般用突出し機構部７０と、スピーカグリル１６の微細孔用突出し機構部８０とが設定されている。
【００２０】
一般用突出し機構部７０は、エジェクタプレート７１がシリンダ７２の駆動により、所定ストローク（１２０ｍｍ前後）昇降自在であり、このエジェクタプレート７１の上面に突出しピン７３、アンギュラピン７４が支持されており、アンギュラピン７４の先端には、アンダーカット部の形状に対応したスライドコア７５が設けられており、突出しピン７３、アンギュラピン７４は、エジェクタプレート７１の上下動作により、ドアトリムロア３０を成形した後、ドアトリムロア３０を上方に突き出す。更に、ドアトリムロア３０には、スピーカグリル１６のように微細孔３２が形成され、特に、微細孔３２を形成した箇所は、成形下型６０と、ドアトリムロア３０との間の貼り付きを食い止めるために、φ２０程度の小径ピン８２が数多く設定されている。
【００２１】
すなわち、微細孔用突出し機構部８０としては、図３，図４に示すように、エジェクタプレート８１に複数の小径ピン８２が取り付けられており、このエジェクタプレート８１は、円盤状に形成され、上面の中心部に複数の小径ピン８２が立設支持されるとともに、エジェクタプレート８１の裏面には、ベースプレート６１との間の４箇所にスプリング８３が介装され、このスプリング８３により、エジェクタプレート８１は常時突出し方向にバネ付勢される。更に、エジェクタプレート８１の上面の４方位には、ウレタンブッシュ８４が取り付けられ、このウレタンブッシュ８４は、一般用突出し機構部７０のエジェクタプレート７１の凹部７１ａ内に嵌合され、嵌合状態においては、一般用突出し機構部７０のエジェクタプレート７１の上昇に追随して、微細孔用突出し機構部８０のエジェクタプレート８１が上昇することになる。また、ベースプレート６１にストッパー兼用のガイドピン８５が取り付けられ、このストッパー兼用のガイドピン８５により、微細孔用突出し機構部８０のエジェクタプレート８１は、３０ｍｍ程度の短寸ストローク上下動作を円滑に行なうことになる。
【００２２】
図５は双方の突出し機構部７０，８０の突出し前の状態を示しており、この状態では、微細孔用突出し機構部８０におけるエジェクタプレート８１のウレタンブッシュ８４は、一般用突出し機構部７０のエジェクタプレート７１の凹部７１ａ内に収容されている。そして、ウレタンブッシュ８４により、エジェクタプレート８１を一般用のエジェクタプレート７１と同調させるため、スプリング８３のバネ圧は、１００ｋｇｆ程度と、バネ圧が低く設定されている。このスプリング８３により、一般のエジェクタプレート７１に過度の応力が加わることがないため、一般用突出し機構部７０における突出しピン７３の出っ張り等の不具合がなく、突出しピン７３の突き出し、戻し等の調整作業を簡素化することができる。
【００２３】
そして、成形後、ドアトリムロア３０を突き出す突出し工程が開始されれば、図６に示すように、シリンダ７２の駆動により、一般用のエジェクタプレート７１が上昇し、突出しピン７３、アンギュラピン７４等の上昇により、ドアトリムロア３０の全体が上方に突き出される。この時、エジェクタプレート７１の凹部７１ａ内に嵌まり込んでいるウレタンブッシュ８４が上方に持ち上げられるため、微細孔用突出し機構部８０のエジェクタプレート８１が上昇し、スプリング８３のバネ圧とあいまって、ドアトリムロア３０の微細孔３２を上方に突き出す。そして、図７に示すように、微細孔用突出し機構部８０のエジェクタプレート８１が３０ｍｍ程度上昇すれば、ストッパー機能をもつガイドピン８５の上端フランジ８５ａがストッパーとして機能し、エジェクタプレート８１及び小径ピン８２の上昇がその時点で停止し、一般のエジェクタプレート７１のみが上昇して、一般部分が更に上方に突き出されることになる。
【００２４】
このように、スピーカグリル１６等の微細孔用突出し機構部８０の構成として、スプリング８３とウレタンブッシュ８４とを併用したため、一般用突出し機構部７０と、微細孔用突出し機構部８０との干渉を回避でき、成形不良を未然に防止できるとともに、突出しピン７３等の突き出し、戻し等の調整作業を簡素化することができる。
【産業上の利用可能性】
【００２５】
本発明は、スピーカグリル１６を設けたドアトリムロア３０に適用したが、一体型のドアトリムのスピーカグリルに適用することもでき、また、スピーカグリルを一体化したリヤパーセルシェルフに適用することもできる。また、樹脂成形品の微細孔としては、エキストラクタグリルに適用することも可能である。
【図面の簡単な説明】
【００２６】
【図１】本発明方法を使用して製作したドアトリムを示す正面図である。
【図２】図１中II−II線断面図である。
【図３】本発明方法に使用する成形金型の全体構成を示す概要図である。
【図４】図３に示す成形金型における微細孔用突出し機構部におけるエジェクタプレートを示す平面図である。
【図５】図３に示す成形金型における微細孔用突出し機構部の突出し前の状態を示す説明図である。
【図６】図３に示す成形金型における微細孔用突出し機構部の突出し開始時の状態を示す説明図である。
【図７】図３に示す成形金型における微細孔用突出し機構部の突出し完了時の状態を示す説明図である。
【図８】従来のスピーカグリルを有するドアトリムの構成を示す正面図である。
【図９】図８中IX−IX線断面図である。
【図１０】従来の成形金型を示す説明図である。
【図１１】従来の成形金型における不具合点を示す説明図である。
【符号の説明】
【００２７】
１０  ドアトリム
１６  スピーカグリル
２０  ドアトリムアッパー
３０  ドアトリムロア
３２  微細孔
４０  成形金型
５０  成形上型
５１  昇降シリンダ
６０  成形下型
６１  ベースプレート
６２  スペーサブロック
６３  マニホールド
６４  ゲート
６５  パンチングブロック
７０  一般用突出し機構部
７１  エジェクタプレート
７２  シリンダ
７３  突出しピン
７４  アンギュラピン
７５  スライドコア
８０  微細孔用突出し機構部
８１  エジェクタプレート
８２  小径ピン
８３  スプリング
８４  ウレタンブッシュ
８５  ガイドピン
【図１】
0004753420.tif 000002
【図２】
0004753420.tif 000003
【図３】
0004753420.tif 000004
【図４】
0004753420.tif 000005
【図５】
0004753420.tif 000006
【図６】
0004753420.tif 000007
【図７】
0004753420.tif 000008
【図８】
0004753420.tif 000009
【図９】
0004753420.tif 000010
【図１０】
0004753420.tif 000011
【図１１】
0004753420.tif 000012